【事件の表示】
　特願２０１６−５１９４６７「訪問セル履歴伝送方法及びその無線装備」拒絶査定不服審判事件〔平成２７年　５月　７日国際公開、ＷＯ２０１５／０６４９５２、平成２８年　８月１２日国内公表、特表２０１６−５２４４１９〕について、次のとおり審決する。
【結　論】
　本件審判の請求は、成り立たない。
【理　由】
第１　手続の経緯
　本願は、２０１４年（平成２６年）１０月２２日（パリ条約による優先権主張外国庁受理２０１３年１１月１日　米国（ＵＳ））を国際出願日とする出願であって、その手続の経緯は以下のとおりである。
　平成２７年１２月１０日　　　手続補正書の提出
　平成２８年１０月　６日付け　拒絶理由通知書
　平成２９年　１月１０日　　　意見書、手続補正書の提出
　平成２９年　２月　１日付け　拒絶査定
　平成２９年　６月　７日　　　拒絶査定不服審判の請求、手続補正書の提出
　平成３０年　８月　６日付け　拒絶理由通知書（当審）
　平成３１年　１月２３日　　　意見書、手続補正書の提出
第２　本願発明
　本願の請求項１〜１３に係る発明は、平成３１月１月２３日にされた手続補正により補正された特許請求の範囲の請求項１〜１３に記載された事項により特定されるものと認められるところ、その請求項１に係る発明（以下、「本願発明」という。）は、以下のとおりのものである。
「端末により実行されるアップリンクメッセージの伝送方法であって、
　第１のセルから第２のセルへのハンドオーバ手続きを実行するステップと、
　前記第１のセルに関するセル情報の有効性検査を実行するステップと、
　前記第１のセルに関する前記セル情報が有効であるとき、前記第１のセルに関する前記セル情報を訪問セル履歴に追加するステップと、
　前記端末が前記訪問セル履歴に関する要請を受信するステップと、
　前記端末が前記要請に対する応答として前記訪問セル履歴を送信するステップと、
を有し、
　前記訪問セル履歴は、訪問セルに関する情報の中の有効なセル情報を累積的に追加したセル履歴に関する情報であり、
　前記訪問セル履歴は、前記第１のセルに対応する時間情報を含み、
　前記訪問セル履歴は、前記第１のセルに対応する周波数情報、及びグローバルセル識別子ではなく、前記第１のセルに対応する物理的セル識別子を更に含む、方法。」
第３　拒絶の理由
　平成３０年８月６日付けで当審が通知した拒絶理由（以下、「当審拒絶理由」という。）の概要は次のとおりである。
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない、というものであり、請求項１に対して国際公開第２０１２／１７７２０５号が引用されている。
第４　引用例の記載及び引用発明について
　当審拒絶理由で引用された国際公開第２０１２／１７７２０５号（以下、引用例という。）には、次の記載がある。（下線は当審が付与。）
（１）「According to some of the example embodiments, 
a user equipment 101 may be configured to record data associated with a cell the user equipment is currently associated with.
the user equipment retaining such information upon leaving such cell.
the user equipment may retain information associated with a user equipment trajectory and various cell changes.
（当審訳：
　例としての実施形態のいくつかによれば、
ユーザ機器１０１は、当該ユーザ機器がその時点で関連付けられているセルに関連付けられるデータを記録するように構成され得る。
ユーザ機器が当該セルから離れた後に当該情報を保持することをさらに含む。
ユーザ機器は、ユーザ機器の軌跡と多様なセル変更とに関連付けられる情報を保持する。
（２）「
The user equipment may receive (e.g., via LPP or RRC) a request or indication to collect and report the information associated with cell changing. The information associated with cell changing may be collected, stored and signalled by the user equipment to another node (e.g., positioning node, eNodeB, LMU, MDT node, SON node, etc.).
（当審訳：
　
ユーザ機器は、セル変更に関連付けられる情報を収集し報告することの要求又は標識（indication）を（例えば、ＬＰＰ又はＲＲＣを介して）受信し得る。セル変更に関連付けられる情報は、ユーザ機器によって、収集され、記憶され、及び他のノード（例えば、測位ノード、ｅＮｏｄｅＢ、ＬＭＵ、ＭＤＴノード、ＳＯＮノードなど）へシグナリングされ得る。
（３）「
The information associated with cell changing may comprise of user equipment trajectory information. The user equipment trajectory information may comprise of at least a list of cell IDs or an ordered sequence of cell IDs of cells on which the user equipment is connected to or camped on during certain time period. The order of the list may be in order of cell changes over time.
According to some of the example embodiments, all cells over a predetermined time period may be included in the user equipment recordation. According to some of the example embodiments, 
only cells on which the user equipment camps on or connects to for at least certain minimum time are provided.
The user equipment may also report an ordered sequence (cell_ID1, cell_ID2, ..., cell_IDN), where the cells with cell_ID1, cell_ID2, ..., cell_IDN had been the serving/primary cells during the said time interval or one positioning measurement session (e.g. for OTDOA or E-CID). 
The user equipment may either report the physical cell ID (PCI) or cell global ID (CGI).
Cells in the list/sequence may also be time-stamped, e.g., together with the cell identifiers.
（当審訳：
　
セル変更に関連付けられる情報は、ユーザ機器の軌跡情報を含み得る。ユーザ機器の軌跡情報は、少なくとも、ある期間の間ユーザ機器が接続され又は滞在した（camped）セルのセルＩＤのリスト又はセルＩＤの順序化されたシーケンス（ordered  sequence）を含み得る。リストの順序は、経時的なセル変更の順序であってよい。
　例としての実施形態のいくつかによれば、予め定義される期間にわたる全てのセルがユーザ機器による記録化に含まれ得る。例としての実施形態のいくつかによれば、
少なくともある最小限の時間についてユーザ機器が滞在し又は接続したセルのみが提供される。
　ユーザ機器は、順序化されたシーケンス（cell_ID1，cell_ID2，…，cell_IDN）を報告してもよく、cell_ID1，cell_ID2，…，cell_IDNを有するセル群は、上記時間インターバル又は１つの測位測定セッション（例えば、ＯＴＤＯＡ又はＥ−ＣＩＤについて）の期間中のサービング／プライマリセルであったものである。
ユーザ機器は、物理セルＩＤ（ＰＣＩ）又はセルグローバルＩＤ（ＣＧＩ）のいずれかを報告してよい。
　
リスト／シーケンス内のセルには、例えばセル識別子と共に、タイムスタンプが付され得る。
（４）「
The user equipment may also be configured to record cell identification information
for at least one cell in the list/sequence.
Examples of such cell identification may be
a carrier frequency of each cell during the predetermined time interval
（当審訳：
　
ユーザ機器は、
リスト／シーケンス内の少なくとも１つについてのセル識別情報を記録するように構成されてもよい。そうしたセル識別の例は、
予め定義される時間インターバルの間の各セルのキャリア周波数
であってよい。
ａ　上記（２）によると、ユーザ機器はセル変更に関連付けられる情報をｅＮｏｄｅＢなどへシグナリングしているので、引用例には、ユーザ機器により実行されるセル変更に関連付けられる情報のｅＮｏｄｅＢへのシグナリング方法が示されているといえる。
ｂ　上記（２）によると、ユーザ機器はセル変更に関連付けられる情報を収集しており、収集する過程でセル変更前のセルからセル変更後のセルへのセル変更手続きを実行するステップを有することは明らかである。
ｃ　上記（１）によると、ユーザ機器は、当該ユーザ機器がその時点で関連付けられているセルに関連付けられるデータを記録し、セルから離れた後に当該情報を保持しているので、セルから離れる前にユーザ機器が接続していたセル変更前のセルに関連付けられるデータを記録している。そして、上記（３）によると、セル変更に関連付けられる情報は、ある期間の間ユーザ機器が接続されたセルのセルＩＤのリストを含む軌跡情報を含むから、ユーザ機器が接続していたセル変更前のセルのセルＩＤを含むものである。
　よって、ユーザ機器が接続していたセル変更前のセルのセルＩＤを含むデータをセル変更に関連付けられる情報に記録するステップを有しているといえる。
ｄ　上記（３）によると、少なくともある最小限の時間についてユーザ機器が滞在し又は接続したセルのみが提供されるので、セル変更に関連付けられる情報の提供にあたって、セルのそれぞれがある最小限の時間についてユーザ機器が接続したセルであるか否かを判断するステップを有しているといえる。
ｅ　上記（２）によると、ユーザ機器は、セル変更に関連付けられる情報を収集し報告することの要求又は標識を受信することによりセル変更に関連付けられる情報を報告しているので、セル変更に関連付けられる情報に関する要求を受信するステップと、要求に対応してセル変更に関連付けられる情報を報告するステップとを有しているといえる。
ｆ　上記（３）によると、セル変更に関連付けられる情報は、ユーザ機器が接続されたセルのセルＩＤのリストを含み、リストの順序は経時的なセル変更の順序であってよいので、セル変更に関連付けられる情報は、経時的なセル変更の順序で順序化されたユーザ機器が接続されたセルのセルＩＤのリストを含んでいる。
ｇ　上記（３）によると、セル変更に関連付けられる情報は、各セルの情報として、タイムスタンプ、及び物理セルＩＤ（ＰＣＩ）又はセルグローバルＩＤ（ＣＧＩ）のいずれかを含んでいるといえる。また、上記（４）によると、セル変更に関連付けられる情報に含まれる各セルの情報は、各セルの情報として、各セルのキャリア周波数を含んでいる。よって、セル変更に関連付けられる情報は、各セルのタイムスタンプ、キャリア周波数、及び物理セルＩＤ（ＰＣＩ）又はセルグローバルＩＤ（ＣＧＩ）のいずれかを含んでいる。
　以上を総合すると、引用例には、次の発明（以下、「引用発明」という。）が記載されていると認められる。
「ユーザ機器により実行されるセル変更に関連付けられる情報のｅＮｏｄｅＢへのシグナリング方法であって、
　セル変更前のセルからセル変更後のセルへのセル変更手続きを実行するステップと、
　ユーザ機器が接続していたセル変更前のセルのセルＩＤを含むデータをセル変更に関連付けられる情報に記録するステップと、
　セル変更に関連付けられる情報の提供にあたって、セルのそれぞれがある最小限の時間についてユーザ機器が接続したセルであるか否かを判断するステップと、
　セル変更に関連付けられる情報に関する要求を受信するステップと、
　要求に対応してセル変更に関連付けられる情報を報告するステップと、を有し、
　セル変更に関連付けられる情報は、経時的なセル変更の順序で順序化されたユーザ機器が接続されたセルのセルＩＤのリストを含み、
　セル変更に関連付けられる情報は、各セルのタイムスタンプ、キャリア周波数、及び物理セルＩＤ（ＰＣＩ）又はセルグローバルＩＤ（ＣＧＩ）のいずれかを含む、方法。」
第５　対比
　本願発明と引用発明とを対比する。
（１）引用発明の「ユーザ機器」は、本願発明の「端末」に相当する。また、引用発明のシグナリングはユーザ機器からｅＮｏｄｅＢへのシグナリングであるので、アップリンクでの伝送であることは明らかであり、情報のシグナリングであるからアップリンクメッセージの伝送といえる。よって、引用発明の「ユーザ機器により実行されるセル変更に関連付けられる情報のｅＮｏｄｅＢへのシグナリング方法」は、「端末により実行されるアップリンクメッセージの伝送方法」といえる点で、本願発明と一致する。
（２）引用発明の「セル変更前のセル」並びに「セル変更後のセル」を単に「第１のセル」並びに「第２のセル」と称することは任意である。また、ユーザ機器がセルと接続した状態でのセル変更をハンドオーバということは技術常識であるので、引用発明の「セル変更」は「ハンドオーバ」を含む。よって、引用発明の「セル変更前のセルからセル変更後のセルへのセル変更手続きを実行するステップ」は、本願発明と「第１のセルから第２のセルへのハンドオーバ手続きを実行するステップ」である点で一致する。
（３）引用発明の「セル変更前のセルのセルＩＤを含むデータ」は、本願発明の「第１のセルに関するセル情報」に相当する。引用発明の「セル変更に関連付けられる情報」は、ユーザ機器において収集し基地局に報告される情報であり、ユーザ機器が接続された複数のセルに関する情報であるので、本願発明の「訪問セル履歴」に相当する。また、引用発明においてセル変更前のセルのセルＩＤを含むデータをセル変更に関連付けられる情報に「記録」することは、それ以前に保持していたセル変更に関連付けられる情報に対して第１のセルの情報を「追加」することといえる。
　よって、引用発明の「ユーザ機器が接続していたセル変更前のセルのセルＩＤを含むデータをセル変更に関連付けられる情報に記録するステップ」は、本願発明の「前記第１のセルに関する前記セル情報を訪問セル履歴に追加するステップ」に相当する。
（４）引用発明において「セル変更に関連付けられる情報の提供にあたって、セルのそれぞれがある最小限の時間についてユーザ機器が接続したセルであるか否かを判断する」ことは、ユーザ機器が接続したセル（第１のセルを含む）に関連付けられるデータがセル変更に関連付けられる情報として有効であるか否かを、ユーザ機器と各セルとの間で接続した時間がある最小限の時間を超えているか否かに基づいて検査しているといえる。
　よって、引用発明の「セル変更に関連付けられる情報の提供にあたって、セルのそれぞれがある最小限の時間についてユーザ機器が接続したセルであるか否かを判断するステップ」は、本願発明の「前記第１のセルに関するセル情報の有効性検査を実行するステップ」に相当する。
（５）引用発明の「セル変更に関連付けられる情報に関する要求を受信するステップ」は、本願発明の「前記端末が前記訪問セル履歴に関する要請を受信するステップ」に相当する。
　また、引用発明におけるセル変更に関連付けられる情報の報告は、要求を受信したことをトリガとして実行されているので、受信した要求に対する応答として実行されているといえる。よって、引用発明の「要求に対応してセル変更に関連付けられる情報を報告するステップ」は、本願発明の「前記端末が前記要請に対する応答として前記訪問セル履歴を送信するステップ」に相当する。
（６）引用発明において、セル変更に関連付けられる情報は、経時的なセル変更の順序で順序化されたものであるので、累積的に追加されているといえる。よって、引用発明の「セル変更に関連付けられる情報は、経時的なセル変更の順序で順序化されたユーザ機器が接続されたセルのセルＩＤのリストを含」むことは、本願発明と「前記訪問セル履歴は、訪問セルに関するセル情報を累積的に追加したセル履歴に関する情報」である点で一致する。
（７）引用発明の「タイムスタンプ」が時間情報であり、「キャリア周波数」が周波数情報であることは明らかである。よって、引用発明の「セル変更に関連付けられる情報は、各セルのタイムスタンプ、キャリア周波数を含む」ことは、本願発明の「前記訪問セル履歴は、前記第１のセルに対応する時間情報を含み、前記訪問セル履歴は、前記第１のセルに対応する周波数情報を更に含む」ことに相当する。
　以上のことから、本願発明と引用発明との一致点及び相違点は、次のとおりである。
（一致点）
「端末により実行されるアップリンクメッセージの伝送方法であって、
　第１のセルから第２のセルへのハンドオーバ手続きを実行するステップと、
　前記第１のセルに関するセル情報の有効性検査を実行するステップと、
　前記第１のセルに関する前記セル情報を訪問セル履歴に追加するステップと、
　前記端末が前記訪問セル履歴に関する要請を受信するステップと、
　前記端末が前記要請に対する応答として前記訪問セル履歴を送信するステップと、
を有し、
　前記訪問セル履歴は、訪問セルに関するセル情報を累積的に追加したセル履歴に関する情報であり、
　前記訪問セル履歴は、前記第１のセルに対応する時間情報を含み、
　前記訪問セル履歴は、前記第１のセルに対応する周波数情報を更に含む、方法。」
（相違点１）
　本願発明は、「前記第１のセルに関する前記セル情報が有効であるとき、前記第１のセルに関する前記セル情報を訪問セル履歴に追加」し、「前記訪問セル履歴は、訪問セルに関する情報の中の有効なセル情報を累積的に追加したセル履歴に関する情報」であるのに対し、引用発明では、「セル変更に関連付けられる情報の提供にあたって、セルのそれぞれがある最小限の時間についてユーザ機器が滞在し又は接続したセルであるか否かを判断」しているが、当該判断がセル変更に関連付けられる情報へ記録するときに実行されることは特定されていない点。
（相違点２）
　本願発明では「訪問セル履歴は、グローバルセル識別子ではなく、前記第１のセルに対応する物理的セル識別子を含む」のに対し、引用発明では「物理セルＩＤ（ＰＣＩ）又はセルグローバルＩＤ（ＣＧＩ）のいずれか」であり、グローバルセル識別子ではないことは特定されていない点。
第６　判断
（相違点１について）
　本願発明と引用発明とは、端末から送信される訪問セル履歴が有効性検査により有効と判断された訪問セルに関するセル情報のみを含む点では一致している。すなわち、セル情報の有効性検査をどの時点で行うかによって、端末から送信される訪問セル履歴の内容に変化を与えるものではないことから、どの時点でセル情報の有効性検査を行うかは、当業者が適宜決定すべき設計事項に過ぎない。
（相違点２について）
　引用発明の物理セルＩＤ（ＰＣＩ）並びにセルグローバルＩＤ（ＣＧＩ）がそれぞれ物理的セル識別子並びにグローバルセル識別子であることは明らかである。そして、引用発明において、セル変更に関連付けられる情報に含まれる情報は物理セルＩＤ又はセルグローバルＩＤのいずれかであるので、引用発明は、セル変更に関連付けられる情報に含めるセルＩＤとしてセルグローバルＩＤではなく物理セルＩＤを使用することも、当然含まれている。
　したがって、相違点２は、実質的な相違点ではない。
　そして、本願発明の作用効果も、引用発明が奏する作用効果から当業者が容易に予測し得る範囲内のものである。
　なお、出願人は審判請求にあたって、引用文献１（特表２０１１−５１１４８８号公報）並びに引用文献２（引用例）には、端末が、訪問セル履歴が有効であるか否かを検査し、有効な訪問セル履歴のみを送信することは記載されていない旨主張している。しかし、上記第６（相違点１について）で述べたように、引用例に基づいて当業者が容易になし得たものであるので、出願人の上記主張は採用できない。
　したがって、本願発明は、引用発明に基づいて、当業者が容易に発明をすることができたものである。
第７　むすび
　以上のとおり、本願発明は、特許法第２９条２項の規定により特許を受けることができないから、他の請求項に係る発明について検討するまでもなく、本願は拒絶されるべきものである。
　よって、結論のとおり審決する。